(57)【特許請求の範囲】
【請求項１】
ケース本体とカバーとを突き合わせて二つ割の箱状に形成したケース内に、前記ケース本体とカバーとの突き合わせ面に成形した凹部により、原水流入室、電解室、酸性水取出室及びアルカリ性水取出室を互いに連通させて順次形成し、前記電解室に正負の電極板を対向配置するとともに、この正負の電極板の中心に位置させて前記酸性水取出室とアルカリ性水取出室とに跨がる分離板を設置し、前記原水流入室から流入させた原水を前記電解室内で電気分解し、生じたイオン水を前記分離板で酸性水とアルカリ性水とに分離し、酸性水は前記酸性水取出室を通して、またアルカリ性水は前記アルカリ性水取出室を通して流出させるようにし、かつ前記分離板の片方の側面を前記酸性水取出室とアルカリ性水取出室との間の隔壁の端面に当接させるとともに、この隔壁の端面に形成した凸部又は凹部と前記分離板の側面に形成したの凹部又は凸部とを嵌合させて前記分離板を位置決めしたことを特徴とするイオン水生成装置
【発明の詳細な説明】
【０００１】
【発明の属する技術分野】
この発明は、水を電気分解してアルカリ性イオン水及び酸性イオン水を生成するイオン水生成装置に関する。
【０００２】
【従来の技術】
上記イオン水生成装置として、電解槽内を隔膜によって陽極室と陰極室とに区分し、各室内にそれぞれ電極を設置したものが知られている。図５にこのようなイオン水生成装置の概略構成を示す。図５において、電解槽１０１は隔膜１０２により陽極室１０３と陰極室１０４とに仕切られ、各室には陽極板１０５及び陰極板１０６がそれぞれ設置されている。電解槽１０１に原水流入口１０７から、例えば食塩を添加した水道水などからなる原水を供給し、電極板１０５，１０６間に直流電圧を印加すると、原水は電気分解されて陽極板１０５の付近では水素イオン濃度の高い酸性水となり、陰極板１０６の付近では水酸イオン濃度の高いアルカリ性水となる。これらのイオン水は電解槽１０１が隔膜１０２で仕切られているため互いに混じり合うことがなく、矢印で示すようにそれぞれ酸性水流出口１０８及びアルカリ性水流出口１０９から流出する。
【０００３】
【発明が解決しようとする課題】
このような隔膜を用いたイオン水生成装置は、酸性水とアルカリ性水とが良好に分離される一方、隔膜の存在により電極間の距離や電気抵抗が大きくなって消費電力が増え、また隔膜にスケールが付着するため定期的に隔膜を洗浄する必要があるなどの欠点がある。そのため、隔膜を用いないで酸性イオン水とアルカリ性イオン水とを分離回収する無隔膜型のイオン水生成装置も開発され、種々の構造が提案されているが、その一つとして電極板のイオン水出口側端部に近接させて板状の分離部材（分離板）を配置し、この分離板により酸性イオン水とアルカリ性イオン水とを分離するようにしたものがある。
【０００４】
一方、装置の小型化のために正負の電極板の間隔は縮小される傾向にあり、近時は電極間から出てくる水流の幅は数ミリ以下のものがある。分離板は酸性水とアルカリ性水との境目に正確に設置する必要があるが、電極板の間隔の縮小に伴いその設置精度はますます正確さを求められている。
この発明の課題は、無隔膜型のイオン水生成装置において、分離板を正確に設置できるようにすることにある。
【０００５】
【課題を解決するための手段】
上記課題を解決するために、この発明は、ケース本体とカバーとを突き合わせて二つ割の箱状に形成したケース内に、前記ケース本体とカバーとの突き合わせ面に成形した凹部により、原水流入室、電解室、酸性水取出室及びアルカリ性水取出室を互いに連通させて順次形成し、前記電解室に正負の電極板を対向配置するとともに、この正負の電極板の中心に位置させて前記酸性水取出室とアルカリ性水取出室とに跨がる分離板を設置し、前記原水流入室から流入させた原水を前記電解室内で電気分解し、生じたイオン水を前記分離板で酸性水とアルカリ性水とに分離し、酸性水は前記酸性水取出室を通して、またアルカリ性水は前記アルカリ性水取出室を通して流出させるようにし、かつ前記分離板の片方の側面を前記酸性水取出室とアルカリ性水取出室との間の隔壁の端面に当接させるとともに、この隔壁の端面に形成した凸部又は凹部と前記分離板の側面に形成したの凹部又は凸部とを嵌合させて前記分離板を位置決めするものである。
【０００６】
【発明の実施の形態】
以下、図１〜図４に基づいてこの発明の実施の形態を説明する。ここで、図１はイオン水生成装置の横断面図、図２は同じく縦断面図、図３は同じく分解斜視図、図４はケースの透視斜視図である。こらの図において、樹脂成形品のケース１は、左右対称のケース本体１ａ及びカバー１ｂが突き合わされた二つ割りの箱状に構成され、それらの突き合わせ面に型成形された凹部により、原水流入室２、電解室３、酸性水取出室４及びアルカリ性水取出室５が互いに連通して順次形成されている。ケース本体側には、原水流入室２の上部に原水流入口６が設けられ、また酸性水取出室４及びアルカリ性水取出室５の下部に酸性水流出口７及びアルカリ性水流出口８がそれぞれ設けられている。
【０００７】
電解室３には、中心に負の電極板（陰極板）９が設置され、その両側に間隔を介して対向する２枚の正の電極板（陽極板）１０が設置されている。また、酸性水取出室４とアルカリ性水取出室５とに跨がり、正負の電極板９，１０の中心に位置するように、２枚の分離板１１が設置されている。図３に示すように、陰極版９と陽極板１０との間には上下方向に適宜の間隔で短冊状のスペーサ１２が挟み込まれ、同様に２枚の分離板１１の間にはスペーサ１３が挟み込まれている。
【０００８】
このような装置において、電解促進剤として例えば食塩が添加された水道水からなる原水は、図１及び図４に矢印で示すように、原水流入口６から導入され、電極板９，１０間に直流電圧が印加される。原水流入口６から入った原水は原水流入室２を通って電解室３に入り、ここを通過しながら電気分解されて陰極板９の表面近傍ではアルカリ性水を生成し、陽極板１０の表面近傍では酸性水を生成する。電解室３を通過した酸性水及びアルカリ性水は分離板１１により互いに分離され、それぞれ酸性水取出室４及びアルカリ性水取出室５に収集された後、酸性水流出口７及びアルカリ性水流出口８から流出する。
【０００９】
ここで、図１及び図２において、各々の分離板１１は片方の側面が酸性水取出室４とアルカリ性水取出室５との間の隔壁１ｃ（図１）の端面にそれぞれ当接するとともに、この端面に一体に形成された上下２個所（図２参照）の柱状突起１４とこれに対応して分離板１１にあけられた円形穴とが密に嵌合して位置決めされている。これにより、分離板１１は電極板９，１０間に正確に設置され、酸性水とアルカリ性水とが良好に分離される。なお、互いに嵌合するケース１と分離板１１の凹凸関係は図示の逆として、分離板１１側に凸部を形成し、ケース１側に凹部を形成するようにしてもよい。
【００１０】
【発明の効果】
この発明によれば、分離板の片方の側面を酸性水取出室とアルカリ性水取出室との間の隔壁の端面に当接させるとともに、この隔壁の端面に形成した凸部又は凹部と分離板の側面に形成したの凹部又は凸部とを嵌合させて分離板を位置決めすることにより、分離板の設置位置が正確となり、イオン水を良好に分離して濃度の高い酸性水あるいはアルカリ性水を取り出すことができる。
【図面の簡単な説明】
【図１】この発明の実施の形態を示すイオン水生成装置の横断面図である。
【図２】図１の装置の縦断面図である。
【図３】図１の装置の分解斜視図である。
【図４】図１の装置の透視斜視図である。
【図５】従来例を示す電解槽の概略構成図である。
【符号の説明】
１    ケース
１ａ  ケース本体
１ｂ  カバー
２    原水流入室
３    電解室
４    酸性水取出室
５    アルカリ性水取出室
６    原水流入口
７    酸性水流出口
８    アルカリ性水流出口
９    陰極板
１０    陽極板
１１    分離板
１４    柱状突起
【図１】
0003613380.tif 000002
【図２】
0003613380.tif 000003
【図３】
0003613380.tif 000004
【図４】
0003613380.tif 000005
【図５】
0003613380.tif 000006